(57)【要約】【解決手段】たて糸とよこ糸とを筒状に織成したジャケット６の内面に、ゴム又は軟質合成樹脂の内張り７を施してなるホース本体１の外側に、筒状織布よりなる外筒２，８を遊嵌してなる消防用ホースにおいて、前記外筒２，８を構成する繊維として、ペットボトルから再生した再生ポリエステル繊維を使用する。【効果】ホース本体１の外側に遊嵌される口巻き布２又は外筒ジャケット８のような外筒を構成する繊維として、ペットボトルから再生した再生ポリエステル繊維を使用することにより、消防用ホースのように強度的特性を要求される分野においても、繊維としての性能の劣る再生ポリエステル繊維を使用することができ、ペットボトルの再生利用を促進し、資源の有効利用を図り、地球環境の保全に貢献することができる。【選択図】　　　　　図１
2004019783.tif 000002
【特許請求の範囲】
【請求項１】
たて糸とよこ糸とを筒状に織成したジャケット（６）の内面に、ゴム又は軟質合成樹脂の内張り（７）を施してなるホース本体（１）の外側に、筒状織布よりなる外筒（２，８）を遊嵌してなる消防用ホースにおいて、前記外筒（２，８）を構成する繊維として、ペットボトルから再生した再生ポリエステル繊維を使用したことを特徴とする、消防用ホース
【発明の詳細な説明】
【０００１】
【発明の属する技術分野】
本発明は消防用に使用されるホースに関するものであって、繊維製の筒状のジャケットの内面にゴム又は軟質合成樹脂の内張りを施し、その外側に筒状織布よりなる外筒を遊嵌してなる消防用ホースに関するものである。
【０００２】
【従来の技術】
従来一般に使用される消防用ホースは、筒状のジャケットの内面に内張りを施したものであって、そのジャケットは、筒状に配列されて長さ方向に延びるたて糸と、当該たて糸と交差してピッチの小さい螺旋状に配置されたよこ糸とを、筒状に織成したものが使用される。
【０００３】
かかる消防用ホースは、短尺の消防用ホースの両端に継手金具が取り付けられ、火災現場においてその継手金具を結合して必要な長さのホースを形成して使用される。そしてその継手金具は、消防用ホースの端末に接続筒を挿入し、その消防用ホースの外側から針金を巻いて締め付け、又はスリーブを嵌合してかしめて固定している。
【０００４】
しかしながら、前述のような繊維製の織物を主体とする消防用ホースを、金属製の針金で締め付けたりスリーブをかしめたりして固定するため、ジャケットが傷付いて耐圧力が低下する危険性がある。そのため通常は消防用ホースの端末部の外側に筒状の織布製の口巻き布を遊嵌し、その外側から針金やスリーブで固定し、ジャケットを保護することが行われている。
【０００５】
また実公平２−５４８号公報には、前記ジャケットの内面に内張りを形成したホースの外側に、前記ジャケットと同様の外筒ジャケットを遊嵌し、耐外傷性を向上させたダブルジャケットホースが記載されている。
【０００６】
【発明が解決しようとする課題】
ところで一方、近年富みに環境問題が高まりをみせ、廃品のリサイクルが提唱されている。特にリサイクルの対象となる素材として、ペットボトルが注目されている。
【０００７】
ペットボトルはポリエチレンテレフタレート（以下ＰＥＴという）樹脂よりなり、使用後のものを繊維として再生して衣料品などの原料として使用することが提唱されているが、その再生利用の比率は必ずしも高いとは言えないのが実情である。
【０００８】
また産業資材として、ペットボトルから再生した繊維を使用することも考えられるが、再生繊維は強度において劣るため、使用できる用途が限られている。特に消防用ホースのジャケットのように高度の強度的性能を要求される分野においては、考慮されることはなかった。
【０００９】
本発明はかかる事情に鑑みなされたものであって、ペットボトルから再生したポリエステル繊維を消防用ホースの分野において使用し、再生繊維の利用を促進することを目的とするものである。
【００１０】
【課題を解決するための手段】
而して本発明は、たて糸とよこ糸とを筒状に織成したジャケットの内面に、ゴム又は軟質合成樹脂の内張りを施してなるホースの外側に、筒状織布よりなる外筒を遊嵌してなる消防用ホースにおいて、前記外筒を構成する繊維として、ペットボトルから再生した再生ポリエステル繊維を使用したことを特徴とするものである。
【００１１】
【発明の実施の形態】
図１は本発明の消防用ホースの一形態を示すものである。図１において１はホース本体であって、たて糸とよこ糸とを筒状に織成してなるジャケットの内面に、ゴム又は軟質合成樹脂の内張りを形成したものである。
【００１２】
そしてそのホース本体１の端末部の外側には、筒状の口巻き布２が遊嵌されている。またホース本体１の端末から継手金具３の接続筒が挿入され、前記口巻き布２の外側から針金４を巻回して締め付け、ホース本体１に継手金具３を取り付けている。
【００１３】
而して前記口巻き布２は、たて糸とよこ糸とを筒状に織成し、又はシート状の織布を筒状に丸めて形成した筒状織布であって、ホース本体１の外側に遊嵌されている。なおこの口巻き布２は、その全部又は一部をホース本体１に接着してもよい。そして本発明においてはその口巻き布２を構成する繊維として、ペットボトルから再生した再生ポリエステル繊維が使用されている。
【００１４】
口巻き布２は継手金具３を取り付ける際に針金４でホース本体１のジャケットが傷付くのを防止し、外力からジャケットを保護することを目的とするものであるから、特に強度的特性を必要とせず、強度的に劣る再生ポリエステル繊維を使用しても、その機能は何ら損なわれることはない。
【００１５】
再生ポリエステル繊維は、口巻き布２を構成する繊維のすべてについて使用するのが好ましいが、必ずしもこれに限定されるものではなく、その一部のみについて使用することもできる。再生繊維の利用促進の見地から、口巻き布２を構成する繊維の半分以上を再生ポリエステル繊維とするのが好ましい。
【００１６】
口巻き布２は、再生ポリエステル繊維のフィラメント糸又はスパン糸のいずれを使用することもできるが、ホース本体１のジャケットの保護の目的のためには、スパン糸を使用するのが好ましい。
【００１７】
次に図２は、本発明の実施の他の形態を示すものであって、ダブルジャケットホース５としたものである。すなわちホース本体１は図１と同様にジャケット６の内面に内張り７を施したものであり、そのホース本体１の外側に筒状織布である外筒ジャケット８が遊嵌されている。
【００１８】
外筒ジャケット８はジャケット６と同様にたて糸とよこ糸とを筒状に織成したものであって、その内径はジャケット６の外径と同じか又はそれよりもやゝ大きいものとするのが好ましい。そして本発明においては、この外筒ジャケット８を構成する繊維として、ペットボトルから再生した再生ポリエステル繊維が使用されている。
【００１９】
この例においても、再生ポリエステル繊維を外筒ジャケット８を構成する繊維のすべてについて使用することが好ましいが、必ずしもこれに限定されることはなく、その一部のみに使用することもできる。再生繊維の利用促進の見地からは、外筒ジャケット８を構成する繊維の半分以上を再生ポリエステル繊維とするのが好ましい。
【００２０】
また外筒ジャケット８には、再生ポリエステル繊維のフィラメント糸又はスパン糸のいずれを使用することもできるが、ホース本体１のジャケットの保護の目的のためには、少なくとも外筒ジャケット８のたて糸としては、スパン糸を使用するのが好ましい。
【００２１】
本発明においては、外筒ジャケット８の内径を、前記実公平２−５４８号公報に記載されているように、ホース本体１を設計使用圧力に加圧したときの外径にほゞ等しいか又はそれよりも若干大きいものとし、使用圧力をかけたときに外筒ジャケット８のよこ糸が緊張されないものであることが好ましい。
【００２２】
しかしながら本発明はこれに限定されるものではなく、加圧しない状態において外筒ジャケット８の内径がホース本体１の外径にほゞ等しいものとすることもできる。外筒ジャケット８のよこ糸として再生ポリエステル繊維を使用することにより、再生ポリエステル繊維は通常のポリエステル繊維に比べると破断時の伸びが大きいため、使用圧力が作用した状態においても外筒ジャケット８のよこ糸が過度に緊張することがなく、ホース本体１に対する保護機能が損なわれることがない。
【００２３】
【発明の効果】
従って本発明によれば、ホース本体１の外側に遊嵌される口巻き布２又は外筒ジャケット８のような外筒を構成する繊維として、ペットボトルから再生した再生ポリエステル繊維を使用することにより、消防用ホースのように強度的特性を要求される分野においても、繊維としての性能の劣る再生ポリエステル繊維を使用することができ、ペットボトルの再生利用を促進し、資源の有効利用を図り、地球環境の保全に貢献することができる。
【図面の簡単な説明】
【図１】本発明の消防用ホースの一形態を示す一部の平面図
【図２】本発明の消防用ホースの他の形態を示す一部を分解した平面図
【符号の説明】
１　ホース本体
２　外筒（口巻き布）
６　ジャケット
７　内張り
８　外筒（外筒ジャケット）
【図１】
2004019783.tif 000003
【図２】
2004019783.tif 000004